(57)【要約】【課題】簡単な作業で、美しく開口させて商品を陳列できる梱包陳列兼用箱を提供する。【解決手段】各一対の端壁１及び側壁２からそれぞれ延出した内フラップ４と外フラップ６とを重ね合わせて封緘する段ボール箱において、対向する外フラップ６のうち、少なくとも一方の外フラップ６に、裏面に貼着したカットテープＣにより、両側部分を残して横方向に切断する帯裂部８を設け、この帯裂部８の両端の切込９から外フラップ６の先端縁まで切目線１０を入れる。陳列に際しては、一方の外フラップ６を帯裂部８に沿って横方向に切断した後、切込９から切目線１０に沿って封緘テープＴと共に先端縁まで切断し、他方の外フラップ６を開いて折返状態で保持し、内フラップ４を巻き込むようにする。【選択図】図６
2005035615.tif 000002
【特許請求の範囲】
【請求項１】
各一対の端壁１及び側壁２からそれぞれ延出した内フラップ４と外フラップ６とを重ね合わせて封緘する段ボール箱において、対向する外フラップ６のうち、少なくとも一方の外フラップ６に、裏面に貼着したカットテープＣにより、両側部分を残して横方向に切断する帯裂部８を設け、この帯裂部８の両端の切込９から外フラップ６の先端縁まで切目線１０を入れたことを特徴とする梱包陳列兼用箱。
【請求項２】
請求項１に記載の梱包陳列兼用箱において、他方の外フラップ６を折返状態に保持するロック１１を設け、これらの外フラップ６の内側に重なる内フラップ４に、巻込用の罫線１２を入れたことを特徴とする梱包陳列兼用箱。
【発明の詳細な説明】
【技術分野】
【０００１】
この発明は、商品の輸送のための梱包と、店頭での陳列に兼用する段ボール製の箱に関するものである。
【背景技術】
【０００２】
一般に、商品梱包用の段ボール箱として、図７に示すように、各一対の端壁５１及び側壁５２からそれぞれ延出した内フラップ５３と外フラップ５４とを重ね合わせ、外フラップ５４の突合部に封緘テープＴを貼着して封緘するものが使用されている。
【０００３】
この段ボール箱を店頭に多数積み上げて商品を陳列する際には、例えば、正面へ向ける一方の側壁５２をカッターナイフ等で切り抜いて、その開口部から商品を露出させるようにする場合がある。
【発明の開示】
【発明が解決しようとする課題】
【０００４】
しかしながら、上記のように、側壁をカッターナイフで切り抜く方法では、手間がかかるだけでなく、積み上げた箱の開口部の形状が不揃いになり、売場の美観を損ね、商品の購買意欲を低下させる恐れがある。
【０００５】
そこで、この発明は、簡単な作業で、美しく開口させて商品を陳列できる梱包陳列兼用箱を提供することを課題とする。
【課題を解決するための手段】
【０００６】
上記課題を解決するため、この発明は、各一対の端壁及び側壁からそれぞれ延出した内フラップと外フラップとを重ね合わせて封緘する段ボール箱において、対向する外フラップのうち、少なくとも一方の外フラップに、裏面に貼着したカットテープにより、両側部分を残して横方向に切断する帯裂部を設け、この帯裂部の両端の切込から外フラップの先端縁まで切目線を入れ、店頭で陳列する際、外フラップを帯裂部に沿って横方向に切断した後、切込から切目線に沿って先端縁まで切断し、開口させるようにしたのである。
【０００７】
また、他方の外フラップを折返状態に保持するロックを設け、これらの外フラップの内側に重なる内フラップに、巻込用の罫線を入れることにより、大きく開口させた状態を維持できるようにしたのである。
【発明の効果】
【０００８】
このように、外フラップをカットテープの帯裂部から切目線に沿って切断できるように構成すると、店頭で簡単に所定形状に開口させることができ、開口部を正面に向け、開口形状が揃った状態で積み上げて陳列することができる。
【０００９】
また、内フラップに巻込用の罫線を入れておくと、その罫線に沿って巻き込んだ内フラップが柱となり、耐圧強度が向上する。
【発明を実施するための最良の形態】
【００１０】
以下、この発明の実施の形態を添付図面に基づいて説明する。
【００１１】
この梱包陳列兼用箱は、図１に示すような段ボール製ブランクから組み立てられる。このブランクでは、各一対の端壁１及び側壁２が交互に連設され、一方の側壁２の外側縁に継代片３が連設されている。端壁１の上下縁には内フラップ４，５が、側壁２の上下縁には外フラップ６，７がそれぞれ連設されている。
【００１２】
このブランクの上部側において、内フラップ４及び外フラップ６の裏面には、中間部のやや基端寄りに段ボール切断用のカットテープＣが横向きに貼着され、一方の外フラップ６には、両側部分を除いてカットテープＣにより帯裂部８が形成されている。
【００１３】
帯裂部８の両端には、内向きコ字状の切込９が入れられ、各切込９から外フラップ６の先端縁まで、鉤状の切目を組み合わせた切目線１０が入れられている。
【００１４】
そのほか、他方の外フラップ６と側壁２の稜部には、テーパー状の２本の切込に挟まれたロック１１が設けられ、各内フラップ４には、全幅に亘って２本の罫線１２が入れられている。
【００１５】
なお、カットテープＣの帯裂部８以外の部分は、機能上は不要であるが、製造工程の都合上、貼着されるものである。従って、図１以外の図面では、他の外フラップ６及び内フラップ４に貼着されたカットテープＣは省略する。
【００１６】
いま、このようなブランクを組み立てて商品を梱包するには、図２に示すように、各一対の端壁１及び側壁２を継代片３を介して角環状に繋ぎ、内フラップ５及び外フラップ７を順次折り重ね、外フラップ７の突合部に封緘テープＴを貼着して底面を封止する。
【００１７】
そして、箱内に商品を収納した後、内フラップ４及び外フラップ６を順次折り重ね、外フラップ４の突合部に封緘テープＴを貼着して天面を封止する。
【００１８】
一方、商品を陳列する際には、図３に示すように、内フラップ４及び外フラップ６による封緘面を正面側へ向ける。
【００１９】
そして、図４に示すように、下側とした一方の外フラップ６を、帯裂部８の引っ張りに伴い横方向に切断した後、切込９から切目線１０に沿って封緘テープＴと共に先端縁まで切断し、他方の外フラップ６を、封緘テープＴで繋がれた一方の外フラップ６の切断部分と共に上方へ開く。
【００２０】
その後、図５に示すように、開いた外フラップ６を折り返して、ロック１１を引き上げることにより、この外フラップ６を折返状態に保持すると共に、図６に示すように、両側の内フラップ４を角柱状に巻き込むように折り曲げると、正面側に商品を露出させる大きな開口部が形成される。
【００２１】
このように、上記梱包陳列兼用箱では、簡単な作業で所定形状の開口部が形成されるので、店員の作業負荷が軽減され、また、売場の美観が向上し、販売促進の効果を期待することができる。
【００２２】
また、この状態で多数段積み上げても、巻き込んだ内フラップ４が柱を形成するので、上面側となった側壁２の開口端部の撓みが防止されると共に、折り返した外フラップ６の厚みにより、上段側の箱が前のめりになることが防止される。
【００２３】
さらに、図２に示す梱包状態では、各一対の側壁１及び端壁２から成る周壁に切目がないので、従来の箱と同様の耐圧強度が確保され、段積み時に周壁が座屈して醜い外観を呈したり、商品に悪影響を与えたりすることがない。
【００２４】
そのほか、図１に示すブランクは、通常の溝切り形段ボール箱と同様に、罫線を入れ、溝を切った後、部分的な型で切目を入れて製造できるので、全体を型で打ち抜くものよりも、低コストで製造できる。
【００２５】
なお、この実施形態では、一方の外フラップ６にのみ帯裂部８、切込９及び切目線１０を設けたものを示したが、他方の外フラップ６にも帯裂部８、切込９及び切目線１０を設けておくと、陳列作業に際し、両方の外フラップ６を切断すればよく、外フラップ６の上下の区別をする必要がなくなり、作業性が向上する。
【００２６】
また、材料の段ボールに強度の大きなものを使用した場合などには、内フラップ４の罫線１２を省略し、内フラップ４を帯裂部８及び切目線１０に沿って設けたミシン目等に沿って切り取るようにしてもよい。
【図面の簡単な説明】
【００２７】
【図１】この発明に係る梱包陳列兼用箱のブランクを示す図
【図２】同上の梱包状態を示す斜視図
【図３】同上の封緘面を正面に向けた斜視図
【図４】同上の陳列作業時の開口過程を示す斜視図
【図５】同上の次の状態を示す斜視図
【図６】同上の陳列時の開口状態を示す斜視図
【図７】従来の梱包箱の陳列時における開口状態を示す斜視図
【符号の説明】
【００２８】
１  端壁
２  側壁
４，５  内フラップ
６，７  外フラップ
８  帯裂部
９  切込
１０  切目線
１１  ロック
１２  罫線
Ｃ  カットテープ
Ｔ  封緘テープ
【図１】
2005035615.tif 000003
【図２】
2005035615.tif 000004
【図３】
2005035615.tif 000005
【図４】
2005035615.tif 000006
【図５】
2005035615.tif 000007
【図６】
2005035615.tif 000008
【図７】
2005035615.tif 000009